(57)【要約】【課題】近距離ネットワークから入手したアクセス情報に基づいて、広域ネットワークから本体情報を取得するサービスに適した使い勝手の良い携帯情報端末を提供する。【解決手段】折り畳み式携帯情報端末１０に、本体データのアクセス情報を含む属性データを近距離ネットワークから取得するデータ取得部１２と、取得した属性データの破棄を選択するデータ選択部１１と、アクセス情報に基づいて広域ネットワークから本体データを取得するデータ通信部１３と、属性データ及び本体データの表示部１５，１６と、折り畳みの開閉操作を検出する検出部１７と、取得した属性データを表示部１６に表示し、その属性データが破棄されずに、開閉操作が検出されたとき、データ通信部１３に本体データの取得を行わせ、本体データを表示部１５に表示するデータ表示制御部１４とを設ける。操作が簡単で使い勝手が良い。通信コストの抑制も可能である。【選択図】図１
2007089004.tif 000002
【特許請求の範囲】
【請求項１】
本体データのアクセス情報を含む属性データを近距離ネットワークから取得するデータ取得部と、
前記データ取得部が取得した前記属性データの破棄を選択するデータ選択部と、
前記アクセス情報に基づいて広域ネットワークから前記本体データを取得するデータ通信部と、
前記属性データ及び本体データを表示する表示部と、
特定の操作を検出する検出部と、
前記データ取得部が取得した前記属性データを前記表示部に表示し、前記属性データが前記データ選択部により破棄されずに、前記検出部により前記特定の操作が検出されたとき、前記データ通信部に前記本体データの取得を行わせ、取得された前記本体データを前記表示部に表示するデータ表示制御部と、
を備える携帯情報端末。
【請求項２】
請求項１に記載の携帯情報端末であって、
本体部に対して開閉可能なカバー部を有し、前記表示部が、前記カバー部を閉じた状態でも視認できる第１の表示部と、前記カバー部を開いたときにのみ視認できる第２の表示部とから成り、前記検出部は、前記特定の操作として前記カバー部が開かれる操作を検出し、前記データ表示制御部は、前記属性データを前記第１の表示部に表示し、前記本体データを前記第２の表示部に表示する携帯情報端末。
【請求項３】
請求項２記載の携帯情報端末であって、
前記第１の表示部が前記カバー部の外側に配置されたサブ表示部より構成され、前記第２の表示部が前記カバー部の内側に配置されたメイン表示部より構成される携帯情報端末。
【請求項４】
請求項１ないし３のいずれか１項記載の携帯情報端末であって、
前記データ取得部は、通信コストが無料の前記属性データを取得し、前記データ通信部は、通信コストが有料の前記本体データを取得する携帯情報端末。
【請求項５】
携帯情報端末を用いて、本体データのアクセス情報を含む属性データをもとに、当該本体データを取得して表示するデータ取得及び表示方法であって、
前記属性データを近距離ネットワークから取得するステップと、
前記属性データを表示部に表示するステップと、
前記属性データを破棄するかどうかをユーザが選択するステップと、
ユーザによる特定の操作を検出するステップと、
前記特定の操作を契機として、前記アクセス情報に基づいて広域ネットワークから前記本体データを自動的に取得するステップと、
前記本体データを表示部に表示するステップと、
を含むデータ取得及び表示方法。
【発明の詳細な説明】
【技術分野】
【０００１】
本発明は、携帯電話端末等の携帯情報端末に関し、特に、携帯情報端末の新たな使い方に対応できるようにしたものである。
【背景技術】
【０００２】
近年、携帯電話端末は、通話機能だけでなく、多くの機能が付加され、多種類のサービスが利用できるように構成されている。
【０００３】
下記特許文献１には、動画像等のコンテンツをストリーミング配信するサービスに適した携帯電話端末が開示されている。
【０００４】
この携帯電話端末は、カバー部と本体部とがヒンジ部で開閉可能に連結された折り畳み構造を有し、カバー部の内側にメイン表示部が配置され、カバー部を閉じた状態でも見える位置にサブ表示部が配置されている。
【０００５】
図４は、この端末のハードウエア構成を示している。この携帯電話端末は、端末全体の動作を制御するＣＰＵ５０（制御部）と、無線通信機能を提供する無線部５１と、ジョグダイヤルや各種操作キーを含む入力部５２と、ＣＰＵ５０の動作プログラム及び固定データを格納したＲＯＭ５３と、データの一時記憶領域及び作業領域等を提供するＲＡＭ５４と、カバー部の開閉を検出する開閉検出部５５と、メイン表示部５６と、サブ表示部５７とを備えており、ＲＡＭ５４は、メイン表示部５６及びサブ表示部５７の表示データを格納するメイン表示メモリ５４１及びサブ表示メモリ５４２を含んでいる。
【０００６】
この端末は、基地局からプッシュ配信されたコンテンツタイトル情報及びコンテンツ提供サイトへのアクセス情報（ＵＲＬ）を受信すると、それらを対応付けて一時的にＲＡＭ５４に記憶し、コンテンツタイトル情報をサブ表示部５７に表示する。その後、ユーザが端末のカバーを開くと、端末は、サブ表示部５７に表示されているコンテンツタイトル情報に対応するアクセス情報に基づいて、サイトにコンテンツメニューを要求し、受信したコンテンツメニューをメイン表示部５６に表示する。
【０００７】
ユーザが、このメニュー画面からコンテンツを選択すると、携帯電話端末は、選択され
たコンテンツのデータをサイトに要求し、受信したコンテンツをメイン表示部５６に表示する。
【特許文献１】特開２００３−１３４２７０号公報
【発明の開示】
【発明が解決しようとする課題】
【０００８】
しかし、特許文献１に記載された携帯電話端末では、プッシュ配信を受信しないモードに予め設定することは可能であるが、プッシュ配信を認める受信許可モードに設定されている場合は、プッシュ配信されたコンテンツタイトル情報を受信すると、それが欲しくないコンテンツの情報であっても、カバーを開けたときに、そのコンテンツメニューが自動取得され、その際に通信コストが掛かることになる。
【０００９】
ところで、携帯電話端末では、本体情報の取得先情報を近距離のネットワークから入手し、その取得先情報に基づいて、本体情報を広域ネットワークから得るサービスが予定されている。例えば、ＩＣタグが貼り付けられたレストランのポスターに携帯電話端末を翳すと、ＩＣタグに記録された本体情報（レストランの案内情報）の取得先ＵＲＬが携帯電話端末に読み込まれ、そのＵＲＬにアクセスして取得したレストランの案内情報が携帯電話端末の画面に表示される。
【００１０】
このサービスでは、近距離ネットワークからアクセス情報を取得するときの通信料は無料であるが、広域ネットワークからの本体情報の取得には通信料が掛かる。この場合、近距離ネットワークを通じてユーザの望んでいないアクセス情報を取得してしまうことが有り得る（例えば、隣のＩＣタグのアクセス情報を読取ってしまうような場合）から、特許文献１の携帯電話端末のように、取得したアクセス情報に基づいて本体情報を自動取得することは避ける必要がある。
【００１１】
本発明は、こうした事情を考慮して創案したものであり、近距離ネットワークから入手したアクセス情報に基づいて、広域ネットワークから本体情報を取得するサービスに適した、使い勝手の良い携帯情報端末を提供することを目的としている。
【課題を解決するための手段】
【００１２】
本発明では、携帯情報端末に、本体データのアクセス情報を含む属性データを近距離ネットワークから取得するデータ取得部と、データ取得部が取得した属性データの破棄を選択するデータ選択部と、前記アクセス情報に基づいて広域ネットワークから本体データを取得するデータ通信部と、属性データ及び本体データを表示する表示部と、特定の操作を検出する検出部と、データ取得部が取得した属性データを表示部に表示し、その属性データがデータ選択部により破棄されずに、検出部により特定の操作が検出されたとき、データ通信部に本体データの取得を行わせ、取得された本体データを表示部に表示するデータ表示制御部とを設けている。
【００１３】
ユーザが、この携帯情報端末を用いて、近距離ネットワークからの属性データの取得操作を行うと、その属性データが表示部に表示される。ユーザは、その属性データの本体データが不要であれば、その属性データを破棄して、本体データの取得を止めることができる。また、その属性データの本体データが必要なときは、携帯情報端末に対して予め定められた特定の操作を行うと、携帯情報端末は、本体データを自動的に取得し、表示部に表示する。
【００１４】
また、本発明の携帯情報端末は、本体部に対して開閉可能なカバー部を有し、表示部が、カバー部を閉じた状態でも視認できる第１の表示部と、カバー部を開いたときにのみ視認できる第２の表示部とから成り、検出部は、特定の操作としてカバー部が開かれる操作を検出し、データ表示制御部は、前記属性データを第１の表示部に表示し、前記本体データを第２の表示部に表示する。
【００１５】
そのため、近距離ネットワークから取得した属性データは、折り畳み式携帯情報端末の第１の表示部に表示され、ユーザが折り畳み式携帯情報端末を開くと、本体データが自動取得されて、第２の表示部に表示される。ここで、第１の表示部をカバー部の外側に配置されたサブ表示部より構成し、第２の表示部をカバー部の内側に配置されたメイン表示部より構成することができる。
【００１６】
また、本発明の携帯情報端末では、データ取得部が、通信コストが無料の属性データを取得し、データ通信部が、通信コストが有料の本体データを取得する。
【００１７】
そのため、不要な本体データの取得を取り止めることにより、無駄な通信コストの出費が抑えられる。
【００１８】
更に本発明は、携帯情報端末を用いて、本体データのアクセス情報を含む属性データをもとに、当該本体データを取得して表示するデータ取得及び表示方法を提供し、該方法は、前記属性データを近距離ネットワークから取得するステップと、前記属性データを表示部に表示するステップと、前記属性データを破棄するかどうかをユーザが選択するステップと、ユーザによる特定の操作を検出するステップと、前記特定の操作を契機として、前記アクセス情報に基づいて広域ネットワークから前記本体データを自動的に取得するステップと、前記本体データを表示部に表示するステップと、を含む。
【発明の効果】
【００１９】
本発明の携帯情報端末は、近距離ネットワークからアクセス情報を取得し、広域ネットワークから本体情報を取得するサービスに適応することができ、そのサービスを受けるための操作は簡単であり、使い勝手が良い。また、通信コストの抑制も可能である。
【発明を実施するための最良の形態】
【００２０】
図１は、本発明の実施形態における折り畳み式携帯電話端末１０の構成を示すブロック図である。この携帯電話端末１０は、近距離ネットワークからデータを取得するデータ取得部１２と、広域ネットワークからデータを取得するデータ通信部１３と、近距離ネットワークから取得したデータの要・不要を選択するデータ選択部１１と、折り畳み構造の開閉を検出する開閉検出部１７と、メイン表示部１５と、サブ表示部１６と、端末での表示を制御するデータ表示制御部１４と、データ表示制御部１４の動作プログラムや固定データを格納するＲＯＭ１８と、データの一時記憶領域及び作業領域を提供するＲＡＭ１９とを備えている。
【００２１】
図３は、この携帯電話端末１０の外形と表示動作とを模式的に示す図である。この携帯電話端末１０は、ヒンジ部２２と、このヒンジ部２２で開閉可能に連結されたカバー部２０及び本体部２１を有しており、カバー部２０を折り畳んだ閉状態を図３（ａ）に示し、カバー部２０を開いた開状態を図３（ｂ）に示している。カバー部２０の内側にはメイン表示部１５が配置され、カバー部２０の外側にはサブ表示部１６が配置されている。メイン表示部１５は、閉状態では見ることができないが、サブ表示部１６は、閉状態でも見ることができる。また、本体部２１は、テンキーや機能ボタンを有し、その側部に、データ選択部１１としてのサイドキー２３を有している。このサイドキー２３は、閉状態でも操作することができる。
【００２２】
図１のデータ取得部１２は、例えば非接触ＩＣカードモジュールであり、携帯電話端末１０の本体部２１の外側（裏面側）に収納され、閉状態の携帯電話端末１０の裏面側を外部リーダ／ライタやＩＣタグ等に翳したとき、それらとの間で非接触通信を行い、本体データの取得先情報（アクセス情報）を含む属性データ（スニップデータ）を取得する。たとえ本体データ取得の通信コストが有料であっても、スニップデータは通信コストが無料にて取得できることが多い。
【００２３】
データ通信部１３は、高周波送受信を行い、広域ネットワークを通じて本体データを取得する。
【００２４】
データ選択部１１は、ユーザがサイドキー２３を押したとき、サブ表示部１６に表示中のスニップデータを不要なものとして選択する。
【００２５】
開閉検出部１７は、例えば、ヒンジ部２２内に設けられた、カバー部２０の回転角度に応じてオン・オフするスイッチ（不図示）であり、開状態のときにオンになる。
【００２６】
ＲＡＭ１９は、データ取得部１２が取得したスニップデータや、データ通信部１３が取得した本体データを格納する。
【００２７】
データ表示制御部１４は、ＲＯＭ１８に格納された動作プログラムに基づいて、メイン表示部１５及びサブ表示部１６の表示を制御する。
【００２８】
図３では、この表示動作を模式的に示している。ユーザが携帯電話端末１０を閉状態にしてレストランのポスターに貼り付けられたＩＣタグ（情報発信装置）４０に翳すと、携帯電話端末１０のデータ取得部１２は、ＩＣタグ４０と非接触通信（近距離ネットワーク４１での通信）を行い、ＩＣタグ４０に記録されているスニップデータを読取る。スニップデータは、本体データの簡易情報や本体データへのアクセス情報のみを含んでおり、取得されたスニップデータは、ＲＡＭ１９に一時格納され、また、図３（ａ）に示すように、その全部または一部（ここでは本体データの簡易情報のみ）がサブ表示部１６に表示される。
【００２９】
ユーザは、サブ表示部１６の表示を見て、その本体データの入手が不要であれば、サイドキー２３を押す。サイドキー２３が押されると、データ選択部１１は、サブ表示部１６に表示中のスニップデータが不要であることをデータ表示制御部１４に伝え、データ表示制御部１４は、サブ表示部１６の表示を消去し、そのスニップデータをＲＡＭ１９から破棄する。
【００３０】
また、ユーザは、サブ表示部１６の表示を見て、その本体データの入手が必要であるときは、図３（ｂ）に示すように、携帯電話端末１０を開く。開閉検出部１７は、携帯電話端末１０が開かれたことを検出してデータ表示制御部１４に伝え、データ表示制御部１４は、データ通信部１３に本体データの取得を指示し、データ通信部１３は、スニップデータに含まれるアクセス情報に基づいて、広域ネットワーク４２のサイトから本体データを取得する。取得された本体データは、ＲＡＭ１９に格納され、また、メイン表示部１５に表示される。
【００３１】
図２のフロー図は、この携帯電話端末１０の動作手順を示している。ユーザの操作により、近距離ネットワーク４１からスニップデータを取得し（ステップ１）、サブ表示部１６にスニップデータ情報を表示する（ステップ２）。
【００３２】
データ選択部１１によりユーザがスニップデータの破棄を選択したときは（ステップ３でＹｅｓ）、処理を終了する。データ選択部１１によるデータの破棄が行われない状態で（ステップ３でＮｏ）、カバー部２０の開放を検出すると（ステップ４）、広域ネットワーク４２から本体データを取得し（ステップ５）、メイン表示部１５に本体データ情報を表示する（ステップ６）。
【００３３】
このように、この携帯電話端末は、近距離ネットワークから、本体データへのアクセス情報を含む属性データを取得した場合に、カバー部を開くだけで、その本体データを広域ネットワークから自動取得することができる。また、その本体データの取得前に、当該データを取得するか否かをユーザの意思で選択することができ、不要データの取得に費やされる通信コストが抑えられる。近距離ネットワークからの属性データの取得にかかる通信コストは無料である場合が多いからである。たとえ有料であったとしても、その通信コストは本体データの取得の通信コストに比べれば低額であると考えられる。
【００３４】
なお、実施形態では、メイン表示部とサブ表示部とを備える折り畳み式の携帯電話端末について説明したが、表示部は、必ずしも二つである必要は無く、また、折り畳み式である必要もない。表示部が一つの携帯電話端末では、近距離ネットワークから取得した属性データ情報を当該表示部に表示し、本体データが不要なユーザは、サイドキーを押して、表示された属性データ情報を消去する。一方、本体データが必要なユーザは、例えば、予め決められたキーを押し、それを契機に、携帯電話端末は、広域ネットワークから本体データを取得し、当該表示部の表示を属性データ情報から本体データ情報に切替える。
【００３５】
また、実施形態では、カバー部を開くという特定の操作の検出し、当該操作を契機として、アクセス情報に基づいて広域ネットワークから本体データを自動的に取得し、本体データの取得を簡便なものとしている。ただし、特定操作はカバー部を開くという操作には限られず、特定のキーを操作するなど、携帯情報端末に応じて種々の操作を採用することができる。
【００３６】
また、ここでは近距離ネットワークからのデータ取得部が非接触ＩＣカードモジュールである場合について説明したが、このデータ取得部は、Bluetooth等の無線通信手段であっても良い。
【００３７】
また、ここでは、専ら携帯電話端末について説明したが、本発明は、ＰＤＡ(Personal Digital Assistant)等の携帯情報端末を対象とすることもできる。
【００３８】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００３９】
本発明は、近距離ネットワークからアクセス情報を取得し、広域ネットワークから本体情報を取得するサービスに対応した携帯情報端末の使い勝手を改善することができ、携帯電話端末やＰＤＡ等の各種携帯情報端末に対して広く適用することができる。
【図面の簡単な説明】
【００４０】
【図１】本発明の実施形態における携帯電話端末の構成を示すブロック図
【図２】本発明の実施形態における携帯電話端末の動作を示すフロー図
【図３】本発明の実施形態における携帯電話端末の外形及び表示動作を模式的に示す図
【図４】従来の携帯電話端末の構成を示すブロック図
【符号の説明】
【００４１】
１０  折り畳み式携帯電話端末
１１  データ選択部
１２  データ取得部
１３  データ通信部
１４  データ表示制御部
１５  メイン表示部
１６  サブ表示部
１７  開閉検出部
１８  ＲＯＭ
１９  ＲＡＭ
２０  カバー部
２１  本体部
２２  ヒンジ部
２３  サイドキー
５０  ＣＰＵ
５１  無線部
５２  入力部
５３  ＲＯＭ
５４  ＲＡＭ
５５  開閉検出部
５６  メイン表示部
５７  サブ表示部
５４１  メイン表示メモリ
５４２  サブ表示メモリ
【図１】
2007089004.tif 000003
【図２】
2007089004.tif 000004
【図３】
2007089004.tif 000005
【図４】
2007089004.tif 000006